(57)【特許請求の範囲】
【請求項１】
固定金型を保持する固定ダイプレートと、
固定ダイプレートに対向して配置され、移動金型を保持する移動ダイプレートと、
移動ダイプレートを背面側から支持するバックアッププレートと、
固定ダイプレートと前記バックアッププレートの間を連結し、そのネジ軸の先端が前記固定ダイプレートに回転自在に接続され、そのナットが前記バックアッププレートに固定された複数のボールネジと
前記複数のボールネジのネジ軸を、互い同期させて回転させるモータと、
を備えた射出成形機の電動直圧式型締装置において、
固定ダイプレートと前記バックアッププレートの間を、タイバーを併用することなく２本のボールネジのみで連結し、これら２本のボールネジを、固定金型と移動金型の中心軸を中央にして水平方向に対して斜めの位置に配置したこと、を特徴とする射出成形機の電動直圧式型締装置。
【請求項２】
前記バックアッププレートと前記移動ダイプレートを一体的に構成したことを特徴とする請求項１に記載の射出成形機の電動直圧式型締装置。
【発明の詳細な説明】
【０００１】
【発明の属する技術分野】
本発明は、射出成形機の型締装置に係り、特に、駆動源の推進力をトグルリンク機構を使用せずに移動ダイプレートに伝達する電動式の直圧式型締装置の構造に係る。
【０００２】
【従来の技術】
図５に、従来の電動直圧式型締装置の概略構成を示す。
【０００３】
ベース１の両端には、固定ダイプレート３及びハウジング３２が、互いに対向するように配置されている。ハウジング３２の前方には、固定ダイプレート３に対向して、移動ダイプレート４が配置されている。固定ダイプレート３の前面には固定金型５が保持され、移動ダイプレート４の前面には移動金型６が保持されている。
【０００４】
ハウジング３２と固定ダイプレート３の間は、４本のタイロッド３７によって連結されている。移動ダイプレート４の四隅には、それぞれ貫通孔が形成され、各タイロッド３７はこれらの各貫通孔を貫通している。移動ダイプレート４は、これらの各タイロッド３７に沿って摺動し、前後方向（即ち、型締め方向及び型開き方向）に移動することができる。
【０００５】
移動ダイプレート４は、ハウジング３２の前面にボールネジ４０を介して連結されている。移動ダイプレート４の背面にはロードセル４５が固定され、ボールネジのネジ軸４１の先端は、このロードセル４５の背面側に固定されている。ボールネジのナット４２は、ハウジング３２にベアリング４７を介して回転自在に支持されている。
【０００６】
ベース１の下側にはモータ５０が収容されている。ボールネジのナット４２の端面（移動ダイ側の端面）にはプーリ５２が取り付けられ、モータ５０の軸にはプーリ５１が取り付けられている。プーリ５１とプーリ５２の間には、タイミングベルト５３が架け渡されている。モータ５０を用いてナット４２を回転することによってネジ軸４１が軸方向に駆動され、これにより、移動ダイプレート４がタイロッド３７に沿って前後方向に移動する。
【０００７】
以上のように、従来の電動直圧式型締装置では、ボールネジ４０を用いて移動ダイプレート４を駆動することによって型締め及び型開きの動作を行っている。
【０００８】
（従来の直圧式型締装置の問題点）
従来の装置では、型開きの際、ボールネジのネジ軸４１が移動ダイプレート４とともに後方へ後退するので、ハウジング３２の後方に空スペースを確保しておく必要があった。このことが装置全長を増加させる一因となっていた。
【０００９】
【発明が解決しようとする課題】
本発明は、以上のような従来の電動直圧式型締装置の問題点に鑑み成されたもので、本発明の目的は、装置全長の短縮化を図ることができる電動直圧式型締装置を提供することにある。
【００１０】
【課題を解決するための手段】
本発明の射出成形機の電動直圧式型締装置は、
固定金型を保持する固定ダイプレートと、
固定ダイプレートに対向して配置され、移動金型を保持する移動ダイプレートと、
移動ダイプレートを背面側から支持するバックアッププレートと、
固定ダイプレートと前記バックアッププレートの間を連結し、そのネジ軸の先端が前記固定ダイプレートに回転自在に接続され、そのナットが前記バックアッププレートに固定された複数のボールネジと
前記複数のボールネジのネジ軸を、互い同期させて回転させるモータと、
を備えたことを特徴とする。
【００１１】
本発明の電動直圧式型締装置では、前記ボールネジのネジ軸を回転させることによって、前記バックアッププレートがボールネジの軸方向に移動し、これにより、移動ダイプレートが前後方向に移動して、型締めまたは型開き動作が行われる。このとき、前記ボールネジのネジ軸は、回転するのみで軸方向には移動しないので、ネジ軸の後退のための空スペースを装置の後方に確保しておく必要がない。従って、従来の電動直圧式型締装置と比較して装置全長を短くすることができる。
【００１２】
なお、前記ボールネジのネジ軸に、従来の型締装置におけるタイロッド（３７；図５）の機能を兼ねさせることもできる。このようにすれば、装置の構成を簡略化することができる。
【００１３】
好ましくは、固定ダイプレートと前記バックアッププレートの間を二本のボールネジで連結し、これらのボールネジを、固定金型と移動金型の中心軸を中央にして水平方向に対して斜めの位置に配置する。
【００１４】
二本のボールネジをこのように配置するとともに、これらのボールネジにタイロッドの機能を兼ねさせれば、金型回りに配置される部品点数が少なくなるので、金型へのアクセスが容易になる。
【００１５】
なお、前記バックアッププレートと前記移動ダイプレートを一体的に構成することもできる。
【００１６】
【発明の実施の形態】
図１及び図２に、本発明に基づく射出成形機の電動直圧式型締装置の概略構成を示す。なお、図１は正面図、図２は装置の軸方向に対して平行方向の断面図である。図中、３は固定ダイプレート、４は移動ダイプレート、５は固定金型、６は移動金型、２はバックアッププレート、１０はボールネジ、１１はボールネジのネジ軸、１２はボールネジのナットを表す。
【００１７】
ベース１の両端には、固定ダイプレート３及びサポートプレート７が、互いに対向するように配置されている。固定ダイプレート３の前方には、固定ダイプレート３に対向して、移動ダイプレート４が配置されている。固定ダイプレート３の前面には固定金型５が保持され、移動ダイプレート４の前面には移動金型６が保持されている。移動ダイプレート４はベース１上を摺動することができる。
【００１８】
サポートプレート７と移動ダイプレート４の間には、バックアッププレート２が配置されている。バックアッププレート２はベース１上で前後方向（図では左右方向）に移動することができる。バックアッププレート２の互いに対角位置にある二隅には、それぞれ、ボールネジ１０のナット１２が固定されている。ボールネジ１０のネジ軸１１は、ナット１２を介してバックアッププレート２を貫通している。ネジ軸１１の先端部（図では右端側）は、固定ダイプレート３に回転自在に接続されている。ネジ軸１１の後端部（図では左端側）は、サポートプレート７にベアリング１９を介して回転自在に支持され、サポートプレート７を貫通している。バックアッププレート２の前面には、ロードセル１５を介して、移動ダイプレート４が接続されている。
【００１９】
ベース１の下側にはモータ２０が収容されている。各ボールネジのネジ軸１１の後端部（図では左端側）には、それぞれプーリ２２が取り付けられ、モータ２０の軸にはプーリ２１が取り付けられている。プーリ２１と各プーリ２２の間には、後述するように、タイミングベルト２３が架け渡されている。
【００２０】
図３（左側面図）に、モータ２０とネジ軸１１の連結部分の詳細を示す。各ボールネジのネジ軸１１の後端部には、それぞれプーリ２２が取り付けられ、モータ２０の軸にはプーリ２１が取り付けられている。プーリ２１と各プーリ２２の間には、タイミングベルト２３が架け渡されている。
【００２１】
図４に、ボールネジ１０の部分詳細図を示す。なお、この図は、図４のＥ−Ｅ断面に該当している。ボールネジ１０のナット１２はバックアッププレート２に固定されている。ボールネジ１０のネジ軸１１は、ナット１２を介してバックアッププレート２を貫通している。ボールネジ１０のネジ軸１１の先端部（図では右端側）は、固定ダイプレート３の前面に、ベアリング１７及び固定部材１８を介して回転自在に接続されている。ネジ軸１１の後端部（図では左端側）は、ベアリング１９を介してサポートプレート７に回転自在に支持され、サポートプレート７を貫通している。ネジ軸１１の後端部には、前述のプーリ２２が取り付けられている。
【００２２】
モータ２０を用いて各ネジ軸１１を回転することによって、各ナット１２が軸方向に駆動され、これにより、バックアッププレート２がネジ軸１１に沿って前後方向に移動する。バックアッププレート２の移動に伴い、バックアッププレート２の前面に接続されている移動ダイプレート４も移動する。以上のように、型締め及び型開きの動作は、ボールネジ１０を駆動することによって行われる。
【００２３】
型締めの際、ボールネジ１０を駆動し、移動ダイプレート４を固定ダイプレート３に対して前進させることによって、固定金型５と移動金型６の型面を互いに接触させる。このとき、型締力（型面に生ずる圧縮荷重）の反力は、ロードセル１５及びバックアッププレート２を順に介して、ボールネジのネジ軸１１に伝達される。
【００２４】
なお、ロードセル１５を省略できる場合には、バックアッププレート２の前面に移動ダイプレート４を直接接続することができる。その場合には、更に、バックアッププレート２と移動ダイプレート４を一体的に構成することもできる。
【００２５】
【発明の効果】
本発明の電動直圧式型締装置によれば、型締め及び型開きの際、ボールネジのネジ軸は回転するのみで軸方向には移動しないので、ネジ軸の後退のための空スペースを装置の後方に確保しておく必要がない。従って、従来の電動直圧式型締装置と比較して装置の全長を短くすることができる。
【００２６】
また、固定ダイプレートとバックアッププレートの間を二本のボールネジで連結し、これらのボールネジを、固定金型と移動金型の中心軸を中央にして水平方向に対して斜めの位置に配置するとともに、これらのボールネジにタイロッドの機能を兼ねさせれば、金型回りに配置される部品点数が少なくなるので、金型へのアクセスが容易になる。
【図面の簡単な説明】
【図１】本発明の電動直圧式型締装置の概略構成を示す正面図。
【図２】本発明の電動直圧式型締装置の概略構成を示す軸方向断面図。
【図３】モータとネジ軸の連結部分の詳細を示す図。
【図４】ボールネジの部分詳細図であって、図３におけるＥ−Ｅ断面に相当する図。
【図５】従来の電動直圧式型締装置の概略構成を示す図。
【符号の説明】
１・・・ベース、
２・・・バックアッププレート、
３・・・固定ダイプレート、
４・・・移動ダイプレート、
５・・・固定金型、
６・・・移動金型、
７・・・サポートプレート、
１０、４０・・・ボールネジ、
１１、４１・・・ボールネジのネジ軸、
１２、４２・・・ボールネジのナット、
１５、４５・・・ロードセル、
１７、１９、４７・・・ベアリング、
１８・・・固定部材、
２０、５０・・・モータ、
２１、２２、５１、５２・・・プーリ、
２３、５３・・・タイミングベルト、
３２・・・ハウジング、
３７・・・タイロッド。
【図１】
0004146623.tif 000002
【図２】
0004146623.tif 000003
【図３】
0004146623.tif 000004
【図４】
0004146623.tif 000005
【図５】
0004146623.tif 000006